(57)【要約】【課題】電気接続箱へコネクタをロック固定する際の作業性を向上させる。【解決手段】ケース上面１１ｂに保護用のカバー１７を取り付けると共に、ケース側面１１ａにコネクタＣのロック部Ｃａをロック固定する被ロック部１３を設けた自動車用の電気接続箱１０において、ケース上面１１ｂの周縁部分には、カバー１７の少なくとも対向する側壁１７ａの外面に当接する位置で、かつ、被ロック部１３に対応する位置にガイドリブ１４を突設し、ガイドリブ１４は、カバー側壁１７ａと当接する内面１４ａ側に上端にかけて先細りとなる第１傾斜部１４ａ−１を設けている一方、ガイドリブ１４の外面１４ｂ側を被ロック部１３まで延在させて、ガイドリブ１４を、カバー１７を取り付ける際の位置決め用と、コネクタＣのロック部Ｃａを被ロック部１３に差し込んでロック固定する際の位置決め用とに兼用している。【選択図】　図４
2004096916.tif 000002
【特許請求の範囲】
【請求項１】
ケース上面に保護用のカバーを取り付けると共に、該ケース側面にコネクタのロック部を係止する被ロック部を設けた自動車用の電気接続箱において、
上記ケース上面の周縁部分には、上記カバーの少なくとも対向する側壁の外面に当接する位置で、かつ、上記被ロック部に対応する位置にガイドリブを突設し、上記ガイドリブは、上記カバー側壁と当接する内面側に上端にかけて先細りとなる傾斜部を設けている一方、上記ガイドリブの外面側を上記被ロック部まで延在させて、上記ガイドリブを、上記カバーを取り付ける際の位置決め用と、上記コネクタのロック部を上記被ロック部に差し込んでロック固定する際の位置決め用とに兼用していることを特徴とする電気接続箱。
【請求項２】
上記ガイドリブの外面は、上端にかけて先細りとなる第２傾斜部を設けている請求項１に記載の電気接続箱。
【請求項３】
上記ケース上面で上記カバーの少なくとも対向する側壁の内面に当接する位置にカバー係止片を突設する一方、上記カバーには該カバー係止片を係止する被係止部を設け、
かつ、上記カバー係止片は上記ガイドリブと対向しない位置に突設している請求項１または請求項２に記載の電気接続箱。
【発明の詳細な説明】
【０００１】
【発明の属する技術分野】
本発明は、電気接続箱に関し、詳しくは、自動車用の電気接続箱のケース上面に保護用のカバーを取り付け、かつ、ケース側面にワイヤハーネスの端末に接続されたコネクタをロック固定するものである。
【０００２】
【従来の技術】
従来、図７に示すように、自動車用のジャンクションボックス１のケース２の上面にはコネクタ収容部４が設けられていると共に、ケース２の上面の周縁部の所要位置には内側に傾斜５ａを設けたガイドリブ５を突設している。
ケース２上面を覆うカバー６を取り付ける際には、カバー６がガイドリブ５の傾斜５ａに拾い込まれつつ位置決めされて取り付けることができるので、カバー６の取付作業性が向上すると共に、カバー６取付後には、ガイドリブ５がカバー６のガタつきを防止する役目も果たす。
一方、ケース２の側面には車両内に配策されたワイヤハーネスの端末に接続されたコネクタ（図示せず）を固定するための被ロック部３が設けられている。
【０００３】
【発明が解決しようとする課題】
しかし、コネクタ（図示せず）をジャンクションボックス１のケース２の側面の被ロック部３にロック固定する際は、上記コネクタのロック部を被ロック部３に差し込んで係止固定するため、作業者は上記コネクタのロック部を被ロック部３に対して微調節しながら位置合わせして差し込まなければならなかった。
一方、ジャンクションボックス１のケース２の上面には、被ロック部３とは全く関係なく、カバー６取り付け用にのみガイドリブ５が立設しており、このガイドリブ５の更なる有効活用ができれば望ましい。
【０００４】
本発明は、上記問題に鑑みてなされたもので、コネクタのロック固定の作業性を向上させることを課題としている。
【０００５】
【課題を解決するための手段】
上記課題を解決するため、本発明は、ケース上面に保護用のカバーを取り付けると共に、該ケース側面にコネクタのロック部を係止する被ロック部を設けた自動車用の電気接続箱において、
上記ケース上面の周縁部分には、上記カバーの少なくとも対向する側壁の外面に当接する位置で、かつ、上記被ロック部に対応する位置にガイドリブを突設し、上記ガイドリブは、上記カバー側壁と当接する内面側に上端にかけて先細りとなる傾斜部を設けている一方、上記ガイドリブの外面側を上記被ロック部まで延在させて、上記ガイドリブを、上記カバーを取り付ける際の位置決め用と、上記コネクタのロック部を上記被ロック部に差し込んでロック固定する際の位置決め用とに兼用していることを特徴とする電気接続箱を提供している。
【０００６】
上記構成とすると、車両内に配策されたワイヤハーネスの端末に接続されたコネクタを上記電気接続箱のケースにロック固定するため、上記コネクタのロック部を上記被ロック部に差し込む際に、上記コネクタを上記ガイドリブの外面に当接させながら下降させるだけで、コネクタのロック部がガイドリブに位置決めガイドされながら被ロック部に導かれるので、作業者は、コネクタを被ロック部に対して位置調整しながら差し込む必要がなく、コネクタの取付作業性を向上させることできる。
さらに、上記ガイドリブの外面側を上記被ロック部まで延在させているので、コネクタ固定後も、コネクタのロック部がガイドリブの外面を当たり面として当接するので、コネクタを安定保持することができる。
【０００７】
また、電気接続箱のケース上面にカバーを取り付ける際には、カバーの側壁の下端が上記ガイドリブの内面の上記傾斜部に拾い込まれて位置決めガイドされるので、上記カバーを電気接続箱に取り付ける際の作業性が向上すると共に、カバー取付後には、ガイドリブの内面がカバー側壁と当接するので、カバーのガタつきを防止することもできる。
【０００８】
即ち、上記ガイドリブの構造によると、上記カバーの取付作業性の向上およびガタつき防止を図る役目と、上記被ロック部へのコネクタの取付作業性を向上させる役目とを兼用させることができる。
【０００９】
また、上記ガイドリブの外面は、上端にかけて先細りとなる第２傾斜部を設けていると好ましい。
こうすると、上記コネクタのロック部を上記ガイドリブの外面の第２傾斜部に沿って滑らかにスライドさせて上記被ロック部へと差し込むことができる。
なお、上記ガイドリブの外面は、傾斜部を設けずに垂直面としても構わない。
【００１０】
上記ケース上面で上記カバーの少なくとも対向する側壁の内面に当接する位置にカバー係止片を突設する一方、上記カバーには該カバー係止片を係止する被係止部を設け、
かつ、上記カバー係止片は上記ガイドリブと対向しない位置に突設している。
【００１１】
上記構成とすると、上記カバー係止片により上記カバーを安定して固定することができると共に、上記カバー係止片は上記ガイドリブと対向しない位置に設けているので、カバー係止片とガイドリブとによりカバーの側壁を強く挟持し過ぎることがないので、カバー取付時にカバーの撓みを損なわず、取付作業性が低下することがない。
【００１２】
【発明の実施の形態】
本発明の実施形態を図面を参照して説明する。
図１および図２は、自動車用のジャンクションボックス（電気接続箱）１０であり、合成樹脂製のケース１１の側面１１ａの所要位置には後述するコネクタＣを固定するため被ロック部１３を計８個設けていると共に、一対のブラケット１６を突設しており、ケース上面１１ｂにはコネクタ収容部１２等を設けていると共に、上面１１ｂの周縁部の所要位置にカバー係止片１５を突設し、被ロック部１３に対応する位置にはガイドリブ１４を突設している。
【００１３】
ガイドリブ１４は、図３（Ａ）（Ｂ）に示すように、被ロック部１３と対向する位置で、かつ、被ロック部１３の一側にずらした位置に設けており、図３（Ｃ）に示すように、ガイドリブ１４の内面１４ａの上端側に先細りとなる第１傾斜部１４ａ−１を設けていると共に、外面１４ｂの上端側にも同じく先細りとなる第２傾斜部１４ｂ−１を設けている。
第２傾斜部１４ｂ−１の下端は、被ロック部１３の内部まで延在させており、第２傾斜部１４ｂ−１の下方には垂直面となるコネクタ当たり面１４ｂ−２を連続して設けている。
なお、第２傾斜部１４ｂ−１はガイドリブ１４の外面１４ｂの中央部を肉抜きするように両側部分に設けているので、材料費の低減が図られる。
【００１４】
被ロック部１３は、図３（Ｂ）に示すように、ケース側面１１ａより一対の側壁部１９を垂直に突出していると共に、該側壁部１９と一対のスリット２０をあけた状態でケース側面１１ａに平行な係止壁１８を設けており、該係止壁１８は下端側を側壁部１９と連続させている一方、上端側を自由端としている。
図３（Ｃ）に示すように、係止壁１８の内面側には上端近傍から下端まで薄肉部１８ｂを上下方向に凹設し、薄肉部１８ｂの上端の突出した段差を被係止爪１８ａとしていると共に、ケース側面１１ａと係止壁１８との間には空間が設けられており上下開口２１、２２を連通させている。
【００１５】
カバー係止片１５は、図５に示すように、先端にて外方に突出する係止爪１５を設けており、かつ、図１に示すように、ガイドリブ１４と対向しない位置に立設している。
また、ジャンクションボックス１０のケース１１の上面１１ｂを覆う保護用のカバー１７は合成樹脂製であり、カバー係止片１５と対応する位置に被係止孔１７ａを穿設している。
【００１６】
コネクタＣは、図４に示すように、ワイヤハーネス（図示せず）の端末に接続された本体部Ｃｄの側面より逆Ｌ字形状のロック部Ｃａを下方に突出していると共に、該ロック部Ｃａの下端には係止爪Ｃｂを突出させている。
【００１７】
上記構成のジャンクションボックス１０のケース上面１１ｂにカバー１７を取り付ける際には、カバー１７の側壁１７ａの下端がガイドリブ１４の内面１４ａ側の第１傾斜部１４ａ−１に拾い込まれつつ位置決めされ、そのまま下方に押し込むとカバー１７の被係止孔１７ａがカバー係止片１５の係止爪１５ａに係止される。よって、カバー１７をジャンクションボックス１０に取り付ける際の取付作業性が向上する。
また、カバー１７の取付後には、ガイドリブ１４の内面１４ａがカバー１７の側壁１７ａと当接するので、カバー１７のガタつきを防止することもできる。
さらに、カバー係止片１５は、ガイドリブ１４と対向しない位置に設けているので、カバー１７取付時にカバー１７の撓みを損なうこともない。
【００１８】
一方、車両内に配策されたワイヤハーネスの端末に接続されたコネクタ（図示せず）をジャンクションボックス１０の被ロック部１３にロック固定する際は、コネクタＣのロック部Ｃａを被ロック部１３の上開口２１から差し込むことで行う。
【００１９】
その際、コネクタＣをガイドリブ１４の外面１４ｂ側の第２傾斜部１４ｂ−１に当接させながら下降させるだけで、コネクタＣのロック部Ｃａがガイドリブ１４に位置決めガイドされながら被ロック部１３に差し込まれ、ロック部Ｃａの係止爪Ｃｂが被ロック部１３の被係止爪１８ａに係止される。
よって、作業者は、コネクタＣを被ロック部１３に対して位置調整しながら差し込む必要がなく、コネクタＣを被ロック部１３に差し込む際の作業性が向上する。
さらに、コネクタＣを被ロック部１３にロック固定した後も、コネクタＣのロック部Ｃａがガイドリブ１４のコネクタ当たり面１４ｂ−２に当接するので、コネクタＣを安定保持することができる。
【００２０】
即ち、ガイドリブ１４だけで、カバー１７の取付作業性の向上およびガタつき防止を図る役目と、被ロック部１３へのコネクタＣの取付作業性を向上させる役目を兼用することができる。
【００２１】
また、被ロック部１３に対向して設けられたガイドリブ１４は、被ロック部１３の一側にずらした位置に設けているので、係止解除用の冶具を被ロック部１３の中央に差し込んで、係止爪Ｃｂと被係止爪１８ａとの係止を解除する作業を行う際に、ガイドリブ１４が邪魔になることを防止することもできる。
なお、図６は変形例を示し、ガイドリブ１４’の外面１４ｂ’側に傾斜面を設けずに垂直面としても好適である。
【００２２】
【発明の効果】
以上の説明より明らかなように、本発明によれば、上記コネクタを上記電気接続箱のケースにロック固定する際に、上記コネクタを上記ガイドリブの外面に当接させながら差し込むだけで、コネクタのロック部がガイドリブに位置決めガイドされながら被ロック部に導かれるので、コネクタの取付作業性を向上させることできると共に、コネクタ固定後も、コネクタのロック部がガイドリブの外面を当たり面として当接し、コネクタを安定保持することができる。
また、上記カバーを電気接続箱のケース上面に取り付ける際、カバー側壁の下端が上記ガイドリブの内面の上記傾斜部に拾い込まれてガイドされるので、上記カバーの取付作業性が向上すると共に、カバー取付後も、ガイドリブの内面がカバー側壁と当接し、カバーのガタつきを防止することができる。
即ち、上記ガイドリブによると、上記カバーの取付作業性の向上およびガタつき防止を図る役目と、上記被ロック部へのコネクタの取付作業性を向上させる役目とを兼用させることができる。
【図面の簡単な説明】
【図１】本発明の実施形態に係るジャンクションボックス（電気接続箱）の上面図である。
【図２】ジャンクションボックスの側面図である。
【図３】被ロック部を示し、（Ａ）は上面図、（Ｂ）は側面図、（Ｃ）はＩ−Ｉ線断面図である。
【図４】コネクタを被ロック部へ差し込む際の要部断面図である。
【図５】カバーを取り付けた状態の要部断面図である。
【図６】変形例を示す要部断面図である。
【図７】従来のジャンクションボックスの側面図である。
【符号の説明】
１０　　　　ジャンクションボックス（電気接続箱）
１１　　　　ケース
１３　　　　被ロック部
１４　　　　ガイドリブ
１４ａ　　　内面
１４ａ−１　第１傾斜部
１４ｂ　　　外面
１４ｂ−１　第２傾斜部
１５　　　　カバー係止片
１７　　　　カバー
１８　　　　係止壁
１８ａ　　　被係止爪
１９　　　　側壁部
２０　　　　スリット
Ｃ　　　　　コネクタ
Ｃａ　　　　ロック部
Ｃｂ　　　　係止爪
Ｃｄ　　　　本体部
【図１】
2004096916.tif 000003
【図２】
2004096916.tif 000004
【図３】
2004096916.tif 000005
【図４】
2004096916.tif 000006
【図５】
2004096916.tif 000007
【図６】
2004096916.tif 000008
【図７】
2004096916.tif 000009